(57)【要約】【課題】  本発明は、本発明は、紙幣、旅券、有価証券等の貴重印刷物に偽造や複製の防止用として施す、印刷模様に関するものである。【解決手段】  基材上に、凹形状／又は凸形状から成る第１の要素を第１の方向に複数配置し、更に第１の要素上に、第２の要素を第１の要素とは異なるピッチで複数配置することで、基材に対する観察角度を連続的に徐々に変化させて観察した場合、連続階調の色彩が変化する色彩可変模様が付与された印刷物である。【選択図】  図２
2013123850.tif 000002
【特許請求の範囲】
【請求項１】
基材上における少なくとも一部の領域に、連続階調を有する色彩可変模様を備え、
前記色彩可変模様は、凹形状又は凸形状から成る第１の要素が第１の方向に第１のピッチで複数配置された第１の要素群と、
前記第１の要素群上に、前記第１の要素とは異なる色の色材から成る第２の要素が、前記第１の方向と同じ又は異なる第２の方向に、第２のピッチで複数配置された第２の要素群とを有し、
前記第２のピッチの２倍のピッチは、前記第１のピッチとは異なるピッチであり、
前記第２の要素群は、隣り合う二つの前記第２の要素が、第１の色材で少なくとも形成された第２ａの要素と、前記第１の色材とは異なる色の第２の色材で少なくとも形成された第２ｂの要素とから成る要素セットを複数有し、
前記第１のピッチと前記第２のピッチの２倍のピッチを異なるピッチとすることで、前記基材に対して斜め方向である第２の観察角度又は第３の観察角度から、前記基材に対して真上である第１の観察角度へと観察角度を徐々に変化させた場合、前記観察角度の変化に伴い前記色彩可変模様における連続階調も徐々に変化して視認されることを特徴とする色彩可変模様を有する印刷物。
【請求項２】
前記第２の要素群において、前記第２ａの要素及び前記第２ｂの要素が規則的に交互に配列されることを特徴とする請求項１記載の色彩可変模様を有する印刷物。
【請求項３】
前記要素セットにおいて、第２ａの要素及び第２ｂの要素は、
ｉ）前記第２ａの要素が前記第１の色材のみから成り、前記第２ｂの要素が前記第２の色材のみから成り、又は、
ｉｉ）前記第２ａの要素が前記第１の色材のみから成り、前記第２ｂの要素が前記第１の色材及び前記第２の色材から成り、又は、
ｉｉｉ）前記第２ａの要素が前記第２の色材のみから成り、前記第２ｂの要素が前記第１の色材及び前記第２の色材から成り、又は、
ｉｖ）前記第２ａの要素及び前記第２ｂの要素が、いずれも前記第１の色材及び前記第２の色材から成ることを特徴とする請求項１又は２記載の色彩可変模様を有する印刷物。
【請求項４】
前記ｉｖ）の場合において、前記第２ａの要素及び前記第２ｂの要素は、
前記第１の色材から成る区分要素と、前記第２の色材から成る区分要素から成り、
一方の要素における前記第１の色材から成る区分要素と、他方の要素における前記第２の色材から成る区分要素が隣り合い配置されることを特徴とする請求項３記載の色彩可変模様を有する印刷物。
【請求項５】
前記第１の方向と前記第２の方向が異なる方向とは、前記第１の方向及び前記第２の方向の成す角度が１度以上３度未満であることを特徴とする請求項１乃至４のいずれか一項記載の色彩可変模様を有する印刷物。
【請求項６】
前記色彩可変模様は、前記第２の要素群上に、
前記第１の色材及び第２の色材を隠蔽する第３の色材から成る第３の要素が、前記第２の方向と同じ又は異なる第３の方向に、前記第２のピッチの２倍のピッチとは異なる第３のピッチで複数配置された第３の要素群を有し、
前記第１の観察角度、前記第２の観察角度及び前記第３の観察角度から観察すると、前記色彩可変模様内において、前記第３の要素群を有する領域が他の領域とは異なる色彩の連続階調で視認されることを特徴とする請求項１乃至５のいずれか一項記載の色彩可変模様を有する印刷物。
【請求項７】
前記第２の方向と前記第３の方向が異なる方向とは、前記第２の方向及び前記第３の方向の成す角度が１度以上３度未満であることを特徴とする請求項６記載の色彩可変模様を有する印刷物。
【発明の詳細な説明】
【技術分野】
【０００１】
本発明は、紙幣、旅券、有価証券等の貴重印刷物に偽造や複製の防止用として施す、色彩可変模様を有する印刷物に関するものである。
【背景技術】
【０００２】
紙幣、旅券、有価証券等の貴重印刷物は、その性質上偽造されにくいことが要求される。この対策として貴重印刷物上に光沢や色彩が変化する光学的変化インキ（ＯＶＩ）を印刷した後、その印刷物に対する観察角度を変化させて視認した際の色彩変化を視認することで、真偽判別を行う偽造防止技術が公知である。
【０００３】
例えば、特許文献１には、観察角度の変化により二つの異なる色にカラーシフトする光学的可変性顔料が開示されている。光学的可変性顔料は、アルミニウム合金を原料として物理的蒸着により製造することで、不透明な全反射性層を備えることが可能となる。この光学的可変顔料を用いて作製した光学的変化インキは、全反射層へ入射した光の干渉及び反射により色が発現することでカラーシフト効果が生まれ、そのカラーシフト効果の有無により、真偽判別を行うことが可能となる。
【先行技術文献】
【特許文献】
【０００４】
【特許文献１】特表２００２−５２３６０６号公報
【発明の概要】
【発明が解決しようとする課題】
【０００５】
しかしながら、特許文献１において開示された光学的可変性顔料を用いた光学的変化インキは、非常に高価であるとともに転移特性が悪い。そのため、光学的変化インキを用いて効率良く印刷を行うためには、一定量ずつ版面上の所定パターンにインキを供給可能なロータリースクリーン印刷機を用いて印刷することが好ましい。
【０００６】
本発明は、上記課題の解決を目的とするものであり、具体的には、通常インキを用いて従来よりも安価で、かつ、簡易に観察角度の変化で色合いが変化する光学的変化インキと同様の偽造防止効果を有する印刷領域が施された印刷物を提供することにある。
【課題を解決するための手段】
【０００７】
前述の目的を達成するために、請求項１記載の発明は、基材上における少なくとも一部の領域に、連続階調を有する色彩可変模様を備え、色彩可変模様は、凹形状又は凸形状から成る第１の要素が第１の方向に第１のピッチで複数配置された第１の要素群と、第１の要素群上に、第１の要素とは異なる色の色材から成る第２の要素が、第１の方向と同じ又は異なる第２の方向に、第２のピッチで複数配置された第２の要素群とを有し、第２のピッチの２倍のピッチは、第１のピッチとは異なるピッチであり、第２の要素群は、隣り合う二つの第２の要素が、第１の色材で少なくとも形成された第２ａの要素と、第１の色材とは異なる色の第２の色材で少なくとも形成された第２ｂの要素とから成る要素セットを複数有し、第１のピッチと第２のピッチの２倍のピッチを異なるピッチとすることで、基材に対して斜め方向である第２の観察角度又は第３の観察角度から、基材に対して真上である第１の観察角度へと観察角度を徐々に変化させた場合、観察角度の変化に伴い色彩可変模様における連続階調も徐々に変化して視認されることを特徴とする色彩可変模様を有する印刷物である。
【０００８】
また、請求項２の発明は、請求項１記載の色彩可変模様を有する印刷物において、第２の要素群において、第２ａの要素及び第２ｂの要素が規則的に交互に配列されることを特徴とする。
【０００９】
また、請求項３の発明は、請求項１又は２記載の色彩可変模様を有する印刷物において、要素セットにおいて、第２ａの要素及び第２ｂの要素は、ｉ）第２ａの要素が第１の色材のみから成り、第２ｂの要素が第２の色材のみから成り、又は、ｉｉ）第２ａの要素が第１の色材のみから成り、第２ｂの要素が第１の色材及び第２の色材から成り、又は、ｉｉｉ）第２ａの要素が第２の色材のみから成り、第２ｂの要素が第１の色材及び第２の色材から成り、又は、ｉｖ）第２ａの要素及び第２ｂの要素が、いずれも第１の色材及び第２の色材から成ることを特徴とする。
【００１０】
また、請求項４の発明は、請求項３記載の色彩可変模様を有する印刷物において、ｉｖ）の場合において、第２ａの要素及び第２ｂの要素は、第１の色材から成る区分要素と、第２の色材から成る区分要素から成り、一方の要素における第１の色材から成る区分要素と、他方の要素における第２の色材から成る区分要素が隣り合い配置されることを特徴とする。
【００１１】
また、請求項５の発明は、請求項１乃至４のいずれか一項記載の色彩可変模様を有する印刷物において、第１の方向と第２の方向が異なる方向とは、第１の方向及び第２の方向の成す角度が１度以上３度未満であることを特徴とする。
【００１２】
また、請求項６の発明は、請求項１乃至５のいずれか一項記載の色彩可変模様を有する印刷物において、色彩可変模様は、第２の要素群上に、第１の色材及び第２の色材を隠蔽する第３の色材から成る第３の要素が、第２の方向と同じ又は異なる第３の方向に、第２のピッチの２倍のピッチとは異なる第３のピッチで複数配置された第３の要素群を有し、  第１の観察角度、第２の観察角度及び第３の観察角度から観察すると、色彩可変模様内において、第３の要素群を有する領域が他の領域とは異なる色彩の連続階調で視認されることを特徴とする。
【００１３】
さらに、請求項７の発明は、請求項６記載の色彩可変模様を有する印刷物において、第２の方向と第３の方向が異なる方向とは、第２の方向及び第３の方向の成す角度が１度以上３度未満であることを特徴とする。
【発明の効果】
【００１４】
以上のような構成の本発明に係る印刷物は、基材上に形成した凹形状又は凸形状から成る第１の要素が複数配置された第１の要素群上に、通常インキから成る第２の要素が複数配置された第２の要素群を付与することで、観察角度の変化によって連続階調の色彩が変化する色彩可変模様となる。そのことから、色彩可変模様を有する印刷物は、通常インキのみを用いて、光学的変化インキと同等の偽造防止効果を有することが可能となる。
【００１５】
また、通常インキを用いて形成していることから、ロータリースクリーン印刷機に限らず、インクジェットプリンタ、凹版印刷機、オフセット印刷機等公知の印刷機を用いて作製することが可能である。
【図面の簡単な説明】
【００１６】
【図１】本発明にかかわる印刷物（Ｓ）を示す平面図及び模式図。
【図２】本発明にかかわる印刷物（Ｓ）の要部である領域（Ｚ）を示す模式図。
【図３】本発明にかかわる第１の要素（３ａ、３ｂ、３ｃ・・・）が複数形成された基材（１）を示す平面図及び断面図。
【図４】本発明にかかわる第１の要素（３ａ、３ｂ、３ｃ・・・）の形状を示す断面図。
【図５】本発明にかかわる第２の要素群（９）を説明する模式図。
【図６】本発明にかかわる要素の一例を示す図。
【図７】本発明にかかわる基材（１）を第１の観察角度（Ｅ１）から視認した際の模式図。
【図８】本発明にかかわる基材（１）を第２の観察角度（Ｅ２）から視認した際の模式図。
【図９】本発明にかかわる基材（１）を第３の観察角度（Ｅ３）から視認した際の模式図。
【図１０】本発明にかかわる印刷物（Ｓ）を各観察角度（Ｅ１、Ｅ２、Ｅ３）から視認した際の模式図。
【図１１】本発明にかかわる第２の要素（４ａ、４ｂ）の他の形態を示す模式図。
【図１２】本発明にかかわる第２の要素（４ａ、４ｂ）の他の形態を示す模式図。
【図１３】本発明にかかわる第１変形例の印刷物（Ｓ１）を示す模式図。
【図１４】本発明にかかわる第１変形例における第２の要素群（９ａ）を示す模式図。
【図１５】本発明にかかわる第１変形例における印刷物（１）を第１の観察角度（Ｅ１）から視認した際の模式図。
【図１６】本発明にかかわる第１変形例における基材（１）を第２の観察角度（Ｅ２）から視認した際の模式図。
【図１７】本発明にかかわる第１変形例における基材（１）を第３の観察角度（Ｅ３）から視認した際の模式図。
【図１８】本発明にかかわる第１変形例における印刷物（Ｓ１）を第３の観察角度（Ｅ３）から視認した際の模式図。
【図１９】本発明にかかわる第１変形例における印刷物（Ｓ１）を各観察角度（Ｅ１、Ｅ２、Ｅ３）から視認した際の模式図。
【図２０】本発明にかかわる第２変形例の印刷物（Ｓ２）を示す模式図。
【図２１】本発明にかかわる第２変形例における印刷物（Ｓ２）を各観察角度（Ｅ１、Ｅ２、Ｅ３）から視認した際の模式図。
【図２２】本発明にかかわる第３変形例の印刷物（Ｓ３）を示す模式図。
【図２３】本発明にかかわる第３変形例における印刷物（Ｓ３）の要部である領域（Ｚ３）を示す模式図。
【図２４】本発明にかかわる第３の要素群（１２）を説明する模式図。
【図２５】本発明にかかわる第３変形例における基材（１）を第１の観察角度（Ｅ１）から視認した際の模式図。
【図２６】本発明にかかわる第３変形例における基材（１）を第２の観察角度（Ｅ２）から視認した際の模式図。
【図２７】本発明にかかわる第３変形例における基材（１）を第３の観察角度（Ｅ３）から視認した際の模式図。
【図２８】本発明にかかわる第３変形例における印刷物（Ｓ３）を各観察角度（Ｅ１、Ｅ２、Ｅ３）から視認した際の模式図。
【図２９】本発明にかかわる第３の要素群（１２）の他の形態を示す模式図
【発明を実施するための形態】
【００１７】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００１８】
図１は、本発明における印刷物（Ｓ）を示す平面図及び模式図の一例である。図１（ａ）に示すように印刷物（Ｓ）は、例えば紙幣、旅券、有価証券等の貴重印刷物である。印刷物（Ｓ）は、紙、プラスチックカード等の基材（１）上における少なくとも一部の領域（Ｚ）に、連続階調を有する色彩可変模様（２）を備えている。
【００１９】
図１（ｂ）及び図１（ｃ）は、図１（ａ）に示した印刷物（Ｓ）の領域（Ｚ）を拡大した模式図である。図１（ｂ）に示す印刷物（Ｓ）に付与された色彩可変模様（２）は観察角度を変化させることで、図１（ｃ）に示すように連続階調を有する模様として視認される。
【００２０】
図２（ａ）は、図１（ａ）に示した印刷物（Ｓ）の要部である領域（Ｚ）を拡大した模式図であり、図２（ｂ）は、図２（ａ）におけるＡ−Ａ’の断面図である。図２（ｂ）に示すように、基材（１）上における少なくとも一部の領域（Ｚ）に複数形成された第１の要素（３ａ、３ｂ・・・）上に、第１の要素（３ａ、３ｂ・・・）とは異なるピッチで第２の要素（４）が複数配置されることで、基材（１）を傾けて印刷物（Ｓ）を視認した場合に、複数の第２の要素（４）がランダムに複数の第１の要素（３ａ、３ｂ・・・）の陰となる。それにより、色彩可変模様（２）は、連続階調を有する模様として視認される。以下、印刷物（Ｓ）を構成する、基材（１）及び各要素の構成について詳細に説明する。
【００２１】
（第１の要素群）
図３（ａ）は、第１の要素群（３）を説明する平面図である。図３（ａ）に示すように、基材（１）上における少なくとも一部の領域（Ｚ）に、第１の要素群（３）を有する。第１の要素群（３）は、凹形状／又は凸形状から成る第１の要素（３ａ、３ｂ、３ｃ・・・以下、全てを言う場合は「３Ｎ」とする。）が第１の方向（Ｘ１）に第１のピッチ（Ｐ１）で複数配置することで形成される。
【００２２】
第１のピッチ（Ｐ１）は、印刷方式、用いる基材（１）及び後述する第１の要素（３Ｎ）上に印刷する第２の要素（４）の画線幅を考慮し、３００〜１０００μｍの範囲内で適宜設定される。
【００２３】
第１のピッチ（Ｐ１）が、３００μｍ未満である場合には、第１の要素群（３）上に複数の第２の要素（４）を印刷する際に、必要な面積が充分に得られない。反対に、第１のピッチ（Ｐ１）が、１０００μｍ以上である場合には、第１の要素群（３）上に印刷する第２の要素（４）の一つ一つを肉眼で識別することが可能となり、色彩可変模様（２）を、連続階調を有する模様として視認することができない。
【００２４】
図３（ａ）では、第１のピッチ（Ｐ１）を一定ピッチで図示しているが、前述した３００〜１０００μｍの範囲内であれば、一部異なるピッチとすることも可能である。しかしながら、異なるピッチとした箇所は、色彩可変模様（２）の連続階調が欠けて視認されることから好ましくない。
【００２５】
図３（ａ）において第１の要素（３Ｎ）の形状は、直線状としているが、それに限らず第１の要素群（３）上に複数の第２の要素（４）を印刷すれば波線状、破線状等の形状とすることが可能である。
【００２６】
また、第１の要素（３Ｎ）の長さは、全て同じ長さとしているがそれに限らず、領域（Ｚ）内であれば、その一つ一つの長さを適宜変更することが可能である。図３において、第１の要素（３Ｎ）は、全て同じ長さとしていることから、第１の要素群（３）は、長方形状で基材（１）上に形成されている。第１の要素（３Ｎ）の長さを一つ一つ異なる長さとすることで、第１の要素群（３）の形状を円形状、文字形状、模様形状等、任意の形状とすることが可能となる。
【００２７】
図３（ｂ）は、図３（ａ）におけるＡ−Ａ’を切断した断面図である。図３（ｂ）に示すように、第１の要素（３Ｎ）は、第１の側部（５）、第２の側部（６）及び頂上部（７）を有している。また、隣り合う二つの第１の要素（３Ｎ）間に底部（８）を有する。
【００２８】
第１の要素（３Ｎ）における画線幅（Ｗ１）及び高さ（ｈ）は、第１のピッチ（Ｐ１）及び後述する第２の要素（４）及び第３の要素（１１）の画線幅を考慮し、画線幅（Ｗ１）０．１〜１．０ｍｍ、高さ（ｈ）０．０３〜０．１０ｍｍの範囲内で適宜設定される。第１の要素（３Ｎ）の画線幅（Ｗ１）を０．１ｍｍ未満とした場合、第１の要素群（３）上に第２の要素（４）及び第３の要素（１１）を肉眼で視認可能な画線幅で印刷するために、高さ（ｈ）を高く設定する必要があり好ましくない。また、高さ（ｈ）を０．１ｍｍより高く設定し、かつ、画線幅（Ｗ１）を０．１ｍｍ未満に設定した場合では、印刷物（Ｓ）を傾けた際に色彩可変模様（２）を明瞭に視認することが困難となる。
【００２９】
第１の要素群（３）は、基材（１）上に、凹版印刷、スクリーン印刷、エンボス加工、すき入れ又はレーザ加工により形成する。凹版印刷、スクリーン印刷による第１の要素群（３）の形成は、基材（１）に対して公知の凹版印刷方法又は公知のスクリーン印刷方法に適した版面及びインキを用いて印刷を行うことで、インキの盛りにより形成する。
【００３０】
エンボス加工による第１の要素群（３）の形成は、第１の要素（３Ｎ）の画線幅（Ｗ１）及び高さ（ｈ）に合わせた凹型及び凸型を用いて、公知のエンボス加工機により形成する。すき入れによる第１の要素群（３）の形成は、基材（１）を紙とした際に、すき入れを施すことが可能な公知の抄紙機を用いて形成する。
【００３１】
エンボス加工及びすき入れにより第１の要素群（３）を形成した際には、図３（ｂ）に示す、断面形状が台形状の第１の要素（３Ｎ）を容易に形成可能となる。第１の要素（３Ｎ）の断面形状を台形状とすることで、第２の要素（４）及び後述する第３の要素（１１）を、第１の要素群（３）における各側部（５、６）上に付与することが容易となる。よって、第１の要素群（３）は、エンボス加工又はすき入れにより形成することが好ましい。
【００３２】
レーザ加工による第１の要素群（３）の形成は、公知のレーザ加工装置を用いて基材（１）の一部を除去することで形成する。
【００３３】
なお、第１の要素群（３）を、第２の要素（４）を視認可能な程度の透明度の高い材料で形成することは好ましくない。透明度の高い第１の要素群（３）が形成された印刷物（Ｓ）を傾けて観察した場合、第１の要素群（３）は複数の第２の要素（４）の陰に位置しているが、複数の第２の要素（４）を透過して第１の要素群（３）が視認される。よって、複数の第２の要素（４）が第１の要素群（３）の陰となることで色彩可変模様（２）が連続階調を有する模様として視認されるという本発明の効果が生じなくなる。透明度の高い材料を用いて第１の要素群（３）を形成する際には、第１の要素群（３）上に、透明度を低下させる材料をあらかじめ付与する必要がある。なお、本発明における透明度の高い材料とは、不透明度（％）がハンター反射率計で９０％以上のものを指す。
【００３４】
図４は、第１の要素（３Ｎ）の形状を示す断面図である。なお、図４は、図３（ｂ）と同様に、基材（１）を第１の方向（Ｘ１）に対して垂直に切断した断面図である。第１の要素群（３Ｎ）の断面形状は、図３（ｂ）に示した台形状に限定されず、図４に示した各種形状とすることが可能である。図４（ａ）に示すように、断面形状は、図３（ｂ）と同一であるが、第１の要素群（３）の隣り合う二つの第１の要素（３Ｎ）間の距離（Ｐ１）を狭くすることで、底部（８）を、面状ではなく線状（断面図においては点状）とすることも可能である。
【００３５】
また、図４（ｂ）、図４（ｃ）、図４（ｄ）及び図４（ｅ）に示すように、三角形状又は半円形状とすることも可能である。さらには、図４（ｆ）、図４（ｇ）及び図４（ｈ）に示すように、非対称形状や、図４（ｉ）に示すように、一つ一つが異なる断面形状とすることも可能である。なお、非対称形状とした場合は、図４（ｆ）に示すように、頂上部（７）は必ずしも第１の要素（３Ｎ）の中心に位置するとは限らない。
【００３６】
（第２の要素群）
次に、第１の要素群（３）上に配置される第２の要素群（９）について説明する。図５は、本発明の第２の要素群（９）を説明する模式図である。第２の要素群（９）は、第１の要素（３Ｎ）とは異なる色の色材から成る第２の要素（４）が、図３に示した第１の方向（Ｘ１）と同じ又は異なる第２の方向（Ｘ２）に複数配置することで形成される。
【００３７】
本発明において要素とは、画線、点、画素の少なくとも一つ又はそれぞれの組合せである。図６は、要素の一例を示す図である。画線とは、図６（ａ）、図６（ｂ）、図６（ｃ）及び図６（ｄ）に示すような、直線、破線、波線又は破線状の波線のことである。要素を画線とした場合、図５に示した画線幅（Ｗ２ａ、Ｗ２ｂ）は、６０〜２００μｍとする。点とは、網目スクリーン、コンタクトスクリーン等により、印刷物上に構成された点である。点及び後述する画素は、直線状又は波線状に複数配置されて、点群又は画素群を形成する。要素は、点群又は画線群と成ることで、画線状に構成される。点形状は、円形ドットに限定されるものではなく、ランダムドットや本出願人が先に出願した特開平１１−２６８２２８号公報で提案している特殊網点生成法を用いて意匠性を加味した入力画像を網点(ハーフトーンスクリーン)から成る連続階調網点に変換した、自由度のある特殊網点形状を用いても良い。
【００３８】
画素とは、図形、文字等の二次元画像を縦横の線で分割した、その最小単位のことである。画素形状は、図６（ｅ）、図６（ｆ）、図６（ｇ）、図６（ｈ）、図６（ｉ）及び図６（ｊ）に示すような、円形状、楕円形状、多角形状、文字形状のことである。図６（ｈ）に示した文字形状は、一般的に微小文字又は特殊網点と呼ばれるが、本発明においては画素とする。さらに、図６（ｉ）及び図６（ｊ）に示すように、要素は、画線、点、画素をそれぞれ組み合せても良い。なお、本実施形態については要素を、図６（ａ）に示す直線状の画線として説明する。
【００３９】
第２の要素群（９）と第１の要素群（３）が同じ色である場合、第１の要素群（３）上に印刷した第２の要素群（９）を、肉眼で区別して視認することができない。よって、第２の要素群（９）は、第１の要素群（３）とは異なる色の色材で形成する。
【００４０】
本発明における異なる色とは、同じ色相で濃度が異なる色としてもよく、例えば、第２の要素群（９）を形成する色材を淡い赤色とし、第１の要素群（３）を形成する色材を濃い赤色とすることも可能である。
【００４１】
なお、本発明において、後述する各要素を形成する色材についても、それぞれの色材の色が同じ色又は異なる色として視認される際の定義については、第１の要素群（３）と第２の要素群（９）の色の関係と同様であることから、以下説明を省略する。
【００４２】
第２の要素（４）は、第２のピッチ（Ｐ２）で複数配置されることで第２の要素群（９）となる。第２のピッチ（Ｐ２）の２倍のピッチは、第１のピッチ（Ｐ１）とは異なるピッチである。第２のピッチ（Ｐ２）の２倍のピッチと、第１のピッチ（Ｐ１）を異なるピッチとすることで、印刷物（Ｓ）を斜め方向から観察した際に、複数の第２の要素（４）がランダムに第１の要素群（３）の陰となり、色彩可変模様（２）は連続階調を有する模様として視認される。
【００４３】
第２のピッチ（Ｐ２）は、印刷方式、用いる基材（１）、第２の要素（４）の画線幅（Ｗ２ａ、Ｗ２ｂ）を考慮し、１５０〜５００μｍの範囲内で適宜設定される。なお、第２のピッチ（Ｐ２）においても、前述した第１のピッチ（Ｐ１）同様の注意点に加え、隣り合う第２の要素（４）が重畳しない範囲であれば、適宜設定可能であることから説明を省略する。
【００４４】
第２の要素群（９）は、隣り合う二つの第２の要素（４）が、第１の色材で少なくとも形成された第２ａの要素（４ａ）と、第１の色材とは異なる色の第２の色材で少なくとも形成された第２ｂの要素（４ｂ）とから成る要素セット（１０）を複数有する。第１の要素群（３）上に複数の要素セット（１０）が重なって配置されることで色彩可変模様（２）が形成される。
【００４５】
要素セット（１０）において、第２ａの要素（４ａ）及び第２ｂの要素（４ｂ）は、第２ａの要素（４ａ）が第１の色材のみから成り、第２ｂの要素（４ｂ）が第２の色材のみから成る。
【００４６】
第２ａの要素（４ａ）は、第２ａのピッチ（Ｐ２ａ）で配置され、第２ｂの要素（４ｂ）は、第２ｂのピッチ（Ｐ２ｂ）で複数配置される（Ｐ２ａ及びＰ２ｂを言う場合は「Ｐ２Ｎ」とする。）
【００４７】
第２のピッチ（Ｐ２Ｎ）は、印刷方式、基材（１）、第２ａの要素（４ａ）の画線幅（Ｗ２ａ）及び第２ｂの要素（４ｂ）の画線幅（Ｗ２ｂ）を考慮し、３００〜１０００μｍの範囲内で適宜設定される。
【００４８】
図５において、隣り合う第２ａの要素（４ａ）及び第２ｂの要素（４ｂ）は、隙間を有し近接して配置されているが、隙間なく隣接させて配置することも可能である。しかしながら、隣り合う第２ａの要素（４ａ）及び第２ｂの要素（４ｂ）を一部重複させて配置することは好ましくない。隣り合う第２ａの要素（４ａ）及び第２ｂの要素（４ｂ）を重複させて配置した場合には、その重複箇所が第２ａの要素（４ａ）を形成する色材と第２ｂの要素（４ｂ）を形成する色材の色とが混色して視認される。それにより、印刷物（Ｓ）に対する観察角度を変化させて、色彩可変模様（２）が連続階調を有する模様として視認する際に、重複箇所がノイズとなり視認性が低下するという問題が生じる。
【００４９】
また、第２ａの要素（４ａ）の画線幅（Ｗ２ａ）と第２ｂの画線幅（Ｗ２ｂ）は、前述した６０〜２００μｍであれば、互いに異なる画線幅とすることも可能であり、さらには、複数の第２ａの要素（４ａ）又は第２ｂの要素（４ｂ）において、異なる画線幅とすることも可能である。
【００５０】
第２の要素群（９）は図５に示すように、第２ａの要素（４ａ）及び第２ｂの要素（４ｂ）を規則的に交互に配列することが好ましい。第２ａの要素（４ａ）及び第２ｂの要素（４ｂ）を規則的に交互に配列するとは、第２の要素群（９）において、第２ａの要素（４ａ）及び第２ｂの要素（４ｂ）を一つずつ交互に、互いを入れ替えることなく配列することである。第２ａの要素（４ａ）及び第２ｂの要素（４ｂ）を規則的に交互に配列して第２の要素群（９）を形成することで、色彩可変模様（２）を視認した際にノイズを生じることなく連続階調を有する模様として視認することが可能となる。
【００５１】
なお、第２の要素群（９）において、第２ａの要素（４ａ）及び第２ｂの要素（４ｂ）を不規則に交互に配列することも可能である。第２ａの要素（４ａ）及び第２ｂの要素（４ｂ）を不規則に交互に配列するとは、第２の要素群（９）において、一方の要素、例えば第２ａの要素（４ａ）を連続して配列することである。色彩可変模様（２）において、第２ａの要素（４ａ）及び第２ｂの要素（２ｂ）を不規則に交互に配列した箇所は、一方の要素を形成する色材の色が濃く視認される。前述のとおり、第２ａの要素（４ａ）及び第２ｂの要素（４ｂ）はいずれも微細であることから、連続して配列する要素の数が少ない場合には、色彩可変模様（２）の連続階調は低下しない。しかしながら、連続して配列した要素の数が多い場合には、色彩可変模様（２）の有する連続階調の一部にノイズであるベタ領域が発生し好ましくない。
【００５２】
第２の要素群（９）は、第１の要素群（３）上に公知の印刷方式により形成する。第２の要素群（９）の印刷方式は、オフセット印刷方式、グラビア印刷方式、スクリーン印刷方式、フレキソ印刷方式、インクジェットプリンタ、レーザプリンタ等、第１の要素（３Ｎ）上に印刷可能であれば特に限定されるものではない。印刷物（Ｓ）を作製する場合、ほとんどの印刷方式において、印刷物と版面間ではドットゲインによる画線面積率又は網点面積率の上昇が見込まれることから、版面作製にあたっては、あらかじめそれを見込んだ画線面積率又は網点面積率にする必要があることはいうまでもない。
【００５３】
第２ａの要素（４ａ）を形成する第１の色材及び第２ｂの要素（４ｂ）を形成する第２の色材は、前述した印刷方式に適したインキを各種用いることが可能であり、例えば、オフセットインキ、グラビアインキ、スクリーンインキ、フレキソインキ、トナー等を用いることが可能である。また、インキは単色インキに限らず、複数のインキを混色することで各色のインキを作製し、そのインキを用いることも可能である。
【００５４】
なお、詳細な構成については後述するが、印刷物（Ｓ）は、第１の要素（３Ｎ）の頂上部（７）に第２ａの要素（４ａ）及び第２ｂの要素（４ｂ）が配置される場合がある。その際、第２の要素群（９）を、凹版インキ、発泡インキ、スクリーンインキ等、画線が盛りを有する印刷インキを用いて形成した場合、印刷物（Ｓ）を傾けて色彩可変模様（２）を視認する際に、頂上部（７）以外の第１の要素（３Ｎ）上に印刷した他の第２ａの要素（４ａ）及び第２ｂの要素（４ｂ）が、頂上部（７）に配置した第２ａの要素（４ａ）及び第２ｂの要素（４ｂ）の影となり一部が視認できず、それにより色彩可変模様（２）が一部欠けて視認される場合がある。よって、第２の要素群（９）を印刷する際には、色彩可変模様（２）の視認性を考慮し、適宜印刷方式及び印刷インキを選択する必要がある。
【００５５】
（第２の要素群の視認原理）
次に、第２の要素群（９）の視認原理について説明する。図７は、図２に示した印刷物（Ｓ）を、基材（１）に対して真上である第１の観察角度（Ｅ１）から視認した際の模式図であり、図８は、図２に示した印刷物（Ｓ）を基材（１）に対して上斜め方向である第２の観察角度（Ｅ２）から視認した際の模式図であり、図９は、図２に示した印刷物（Ｓ）を基材（１）に対して下斜め方向である第３の観察角度（Ｅ３）から視認した際の模式図である。なお、この印刷物（Ｓ）を、第１の観察角度（Ｅ１）から視認した際の観察角度と、基材（１）を、第１の観察角度（Ｅ１）から視認した際の観察角度は、同一の観察角度から視認したことであるため、以下、基材（１）は省略し、印刷物（Ｓ）を第１の観察角度（Ｅ１）から視認した際といい、他の観察角度においても同様であることから説明を省略する。
【００５６】
各観察角度（Ｅ１、Ｅ２、Ｅ３）は、第１の要素群（３）の高さ（ｈ）により変化するが、本発明において第１の観察角度（Ｅ１）とは、図７（ａ）に示すように第１の要素群（３）の第１の側部（５）、第２の側部（６）、頂上部（７）及び底部（８）が視認可能となる角度のことである。また、第２の観察角度（Ｅ２）とは、図８（ａ）に示すように、第１の要素群（３）の第２の側部（６）が、第１の死角（Ｇ１）となり視認不可能となる角度のことである。さらに、第３の観察角度（Ｅ３）とは、図９（ａ）に示すように、第１の要素群（３）の第１の側部（５）が第２の死角（Ｇ２）となり視認不可能となる角度のことである。
【００５７】
図７（ａ）に示すように、印刷物（Ｓ）を第１の観察角度（Ｅ１）から視認した場合、複数の第１の要素（３Ｎ）における第１の側部（５）、第２の側部（６）、頂上部（７）及び底部（８）は、すべて隣り合う第１の要素（３ｂ、３ｃ）の影となることなく視認可能である。よって、複数の第１の要素（３Ｎ）上に形成された複数の第２の要素（４）が視認される。
【００５８】
また、図８（ａ）に示すように、印刷物（Ｓ）を第２の観察角度（Ｅ２）から視認した場合、第１の側部（５）は、隣り合う第１の要素（３ｃ）の影となることなく視認可能である。一方、第２の側部（６）は、第１の死角（Ｇ１）となり視認することができない。前述のとおり、本発明における印刷物（Ｓ）は、第１の要素（３Ｎ）と、第２ａの要素（４ａ）及び第２ｂの要素（４ｂ）とを、異なるピッチで形成していることから位相のずれが生じる。よって、図８（ｂ）のように第２の観察角度（Ｅ２）から視認した場合に、第１の死角（Ｇ１）により視認不可能となる第２の要素群（９）の箇所は、第２の方向（Ｘ２）に徐々にずれていく。それにより、色彩可変模様（２）は第２の方向（Ｘ２）に、第１の色から第２の色へ連続階調を有する模様として視認される。
【００５９】
なお、位相のずれにより、第１の色から第２の色へと変化した連続階調の後、また第２の色から第１の色へと変化した連続階調を有する模様となる場合もある。例えば、第１の要素（３Ｎ）における第１のピッチ（Ｐ１）を３００μｍとした際に、第２のピッチ（Ｐ２）を２００μｍとした場合と、第２のピッチ（Ｐ２）を２５０μｍとした場合では、第２のピッチ（Ｐ２）を２５０μｍとした場合の方が、第１のピッチ（Ｐ１）との差が小さくなる。ピッチの差が小さい方が、前述した死角により視認不能となる第２の要素群（９）の箇所が緩やかにずれることで、連続階調の周期が少なくなる。反対に、異なるピッチの差が大きい場合、前述した死角により視認不能となる第２の要素群（９）の箇所は急にずれていく。よって、連続階調の周期が多くなる。
【００６０】
さらに、図９（ａ）に示すように、印刷物（Ｓ）を第３の観察角度（Ｅ３）から視認した場合、第２の側部（６）は、隣り合う第１の要素（３ｂ）の影となることなく視認可能である。一方、第１の側部（５）は、第２の死角（Ｇ２）となり視認することができない。前述のとおり、本発明における印刷物（Ｓ）は、第１の要素（３Ｎ）と、第２ａの要素（４ａ）及び第２ｂの要素（４ｂ）とを、異なるピッチで形成していることから位相のずれが生じる。よって、図９（ｂ）のように第３の観察角度（Ｅ３）から視認した場合に、第２の死角（Ｇ２）により視認不可能となる第２の要素群（９）の箇所は、徐々にずれていく。
【００６１】
それにより、色彩可変模様（２）は第２の方向（Ｘ２）に連続階調を有する模様として視認される。なお、第２の観察角度（Ｅ２）と第３の観察角度（Ｅ３）は異なる観察角度であることから、死角が異なり視認不可能となる第２ａの要素（４ａ）及び第２ｂの要素（４ｂ）も異なる。よって、第２の観察角度（Ｅ２）と、第３の観察角度（Ｅ３）では、視認される色彩可変模様（２）の連続階調は異なる色彩として視認される。
【００６２】
（色彩可変模様の視認原理）
次に、印刷物（Ｓ）を、観察角度を変化させて視認した際の色彩可変模様（２）の視認原理について説明する。
【００６３】
（第１の観察角度（Ｅ１）から視認）
図１０（ａ）は、印刷物（Ｓ）を、第１の観察角度（Ｅ１）から視認した際の模式図である。印刷物（Ｓ）を、第１の観察角度（Ｅ１）から視認した際には、第２の要素群（９）が前述した死角に位置することなく、全て視認される。よって、図１０（ａ）に示すように、色彩可変模様（２）が、第１の色と第２の色が混色した色を有する模様として視認される。なお、本発明において第１の要素（３Ｎ）のピッチ（Ｐ１）は３００〜１０００μｍと狭いことから、色彩可変模様（２）は、第１の色と第２の色が混色した色材でベタ印刷した模様のように視認される。
【００６４】
（第２の観察角度（Ｅ２）から視認）
図１０（ｂ）は、印刷物（Ｓ）を、第２の観察角度（Ｅ２）から視認した際の模式図である。印刷物（Ｓ）を、第２の観察角度（Ｅ２）から視認した際には、前述のとおり、第１の死角（Ｇ１）に位置する第２の要素群（９）は視認不可能となる。よって、色彩可変模様（２）は第２の方向（Ｘ２）に、第１の色から第２の色へ連続階調を有する模様として視認される。
【００６５】
（第３の観察角度（Ｅ３）から視認）
図１０（ｃ）は、印刷物（Ｓ）を、第３の観察角度（Ｅ３）から視認した際の模式図である。印刷物（Ｓ）を、第３の観察角度（Ｅ３）から視認した際には、前述のとおり、第２の要素群（９）のうち第２の死角（Ｇ２）に位置する第２の要素群（９）は視認不可能となる。よって、色彩可変模様（２）は第２の観察角度（Ｅ２）で視認した際の連続階調とは異なる色彩の連続階調を有する模様として視認される。
【００６６】
なお、印刷物（Ｓ）を第１の観察角度（Ｅ１）から、第２の観察角度（Ｅ２）又は第３の観察角度（Ｅ３）へと観察角度を徐々に変化させることにより、その観察角度の変化に伴い、第１の要素群（３）により視認不可能となる第２の要素群（９）も徐々に変化する。よって、第１の観察角度（Ｅ１）から第２の観察角度（Ｅ２）又は第３の観察角度（Ｅ３）へと観察角度を徐々に変化させることで、観察角度の変化に伴い色彩可変模様（２）における連続階調の色彩が光学的変化インキで印刷された模様のように徐々に変化して視認される。
【００６７】
色彩可変模様（２）は図１１に示すように、第２の要素群（９）の一部を白抜きすることで、更に、情報を付与することが可能である。図１１（ａ）は、情報（Ｊ１）が付与された第２の要素群（９）を示す模式図であり、第２の要素群（９）の一部を情報「Ａ」の輪郭で白抜きすることにより、情報「Ａ」を形成した。
【００６８】
図１１（ｂ）は、図１１（ａ）に示した第２の要素群（９）を有する色彩可変模様（２）を第２の観察角度（Ｅ２）から視認した際の模式図である。情報「Ａ」を形成する白抜き部以外は、前述した視認原理によって連続階調を有する模様として視認される。一方、情報「Ａ」を形成する部分は、第２の要素群（９）が印刷されていないことから、いずれの観察角度から視認しても基材（１）の色として視認される。
【００６９】
また、図１２に示すように、第２の要素群（９）上に第２の要素群（９）とは異なる色の色材を加刷することで、情報を付与することも可能である。図１２（ａ）は、情報（Ｊ２）が付与された第２の要素群（９）を示す模式図であり、第２の要素群（９）の上に、第２の要素群（９）とは異なる色の色材を印刷し、情報「Ａ」を形成した。
【００７０】
図１２（ｂ）は、図１２（ａ）に示した色彩可変模様（２）を第２の観察角度（Ｅ２）から視認した際の模式図である。情報「Ａ」以外は、前述した視認原理により連続階調を有する模様として視認される。一方、情報「Ａ」の輪郭は、第２の要素群（９）とは異なる色の色材により第２の要素群（９）が隠蔽されていることから、いずれの観察角度から視認しても第２ａの要素（４ａ）及び第２ｂの要素（４ｂ）とは異なる色として視認される。なお、情報（Ｊ２）を印刷するインキは、第２の要素群（９）に用いた色材とは異なり、かつ、透明インキでなければ特に限定されるものではない。
【００７１】
（第１変形例）
図１３は、第１変形例の印刷物（Ｓ１）の要部である領域（Ｚ１）を示す模式図である。なお、前述した印刷物（Ｓ）と重複する箇所については、説明を一部省略する。図２に示した印刷物（Ｓ）は、第１の要素（３Ｎ）と第２ａの要素（４ａ）及び第２ｂの要素（４ｂ）を同一方向に複数配置することで、色彩可変模様（２）を形成していた。第１変形例においては、第１の要素（３Ｎ）と、第２ａの要素（４ａ）及び第２ｂの要素（４ｂ）とを異なる方向に複数配置することで、色彩可変模様（２ａ）を形成する。なお、基材（１）及び第１の要素群（３）と、第２の要素群（９ａ）を形成する色材については、前述した印刷物（Ｓ）と同様であることから、以下説明を省略する。
【００７２】
（第１変形例における第２の要素群）
図１４は、第１変形例における第２の要素群（９ａ）を説明する模式図である。第２の要素群（９ａ）は、第１の方向（Ｘ１）とは異なる第２の方向（Ｘ２）に配置された第２ａの要素（４ａ）及び第２ｂの要素（４ｂ）から成る。なお、第２ａの要素（４ａ）及び第２ｂの要素（４ｂ）のピッチ（Ｐ２ａ、Ｐ２ｂ）は、前述したピッチと同様であることから、説明を省略する。
【００７３】
本発明における異なる方向とは、図１４においてθＸで示すように、第１の方向（Ｘ１）を基準（０度）とした場合、第１の方向（Ｘ１）と第２の方向（Ｘ２）の成す角度が０度を超え３度未満であることを言う。第１の方向（Ｘ１）と第２の方向（Ｘ２）の成す角度は、第２の要素群（９ａ）の面積（縦×横）内に発生する連続階調の周期をいくつにするかによって適宜設定することとするが、１〜３度の角度とすることが好ましい。１度未満とした場合には、第１の方向（Ｘ１）と異なる方向に発生する連続階調の周期が緩やかになり過ぎ、視認効果が劣るという理由により好ましくない。また、３度を超える角度とした場合には、第１の方向（Ｘ１）と異なる方向に発生する連続階調の周期が短くなり第１の方向（Ｘ１）に発生する連続階調を阻害するという理由により好ましくない。
【００７４】
（第１変形例における第２の要素群の視認原理）
次に、第２の要素群（９ａ）の視認原理について説明する。図１５は、図１４に示した印刷物（Ｓ１）を第１の観察角度（Ｅ１）から視認した際の模式図であり、図１６は、図１４に示した印刷物（Ｓ１）を第２の観察角度（Ｅ２）から視認した際の模式図であり、図１７は、図１４に示した印刷物（Ｓ１）を第３の観察角度（Ｅ３）から視認した際の模式図である。
【００７５】
図１５（ａ）及び図１５（ｂ）に示すように、印刷物（Ｓ１）を第１の観察角度（Ｅ１）から視認した場合、前述したように第２の要素群（９ａ）が視認される。
【００７６】
また、図１６（ａ）及び図１６（ｂ）に示すように、印刷物（Ｓ１）を第２の観察角度（Ｅ２）から視認した場合、前述したように、第１の死角（Ｇ１）により第２の要素群（９ａ）が視認不可能となることで、色彩可変模様（２ａ）は第１の方向（Ｘ１）に連続階調を有する模様として視認される。
【００７７】
さらに、第２の観察角度（Ｅ２）から視認した場合、色彩可変模様（２ａ）は、第１の要素（３Ｎ）が配置される第１の方向（Ｘ１）と直交する第４の方向（Ｙ１）にも連続階調を有する模様として視認される。よって色彩可変模様（２ａ）は、第２の方向（Ｘ２）及び第４の方向（Ｙ１）の双方に連続階調を有する模様として視認される。
【００７８】
また、図１７（ａ）及び図１７（ｂ）に示すように、印刷物（Ｓ１）を第３の観察角度（Ｅ３）から視認した場合、前述したように、第２の死角（Ｇ２）により第２の要素群（９ａ）が視認不可能となることで、色彩可変模様（２ａ）は第１の方向（Ｘ１）に連続階調を有する模様として視認される。
【００７９】
さらに、第３の観察角度（Ｅ３）から視認した場合も、第２の観察角度（Ｅ２）と同様に、色彩可変模様（２ａ）は、第１の方向（Ｘ１）と直交する第４の方向（Ｙ１）の方向にも色調が連続的に変化する。よって色彩可変模様（２ａ）は、第２の方向（Ｘ２）及び第４の方向（Ｙ１）の双方に連続階調を有する模様として視認される。
【００８０】
（第１変形例における色彩可変模様の視認原理）
次に、第２の方向（Ｘ２）及び第４の方向（Ｙ２）の双方に連続階調を有する模様として視認される際の視認原理について、第３の観察角度（Ｅ３）から視認した際の模式図を用いて説明する。図１８（ａ）は、図１７（ｂ）に示すＡ−Ａ’の断面図であり、図１８（ｂ）は図１７（ｂ）に示すＢ−Ｂ’の断面図であり、図１８（ｃ）は図１７（ｂ）に示すＣ−Ｃ’の断面図である。いずれも図１３に示した印刷物（Ｓ１）を第３の観察角度（Ｅ３）から視認した際の模式図である。
【００８１】
前述したように、第１の要素群（３）が配置される第１の方向（Ｘ１）と第２の要素群（９）が配置される第２の方向（Ｘ２）は、θＸの角度を有することから、図１８（ｂ）に示す第２ａの要素（４ａ）及び第２ｂの要素（４ｂ）が印刷される位置は、図１８（ａ）に示す第１の要素（３Ｎ）の第１の側部（５）、第２の側部（６）、頂上部（７）及び底部（８）に印刷された位置とは異なることになる。さらに、図１８（ｃ）に示す第２ａの要素（４ａ）及び第２ｂの要素（４ｂ）が印刷される位置は、図１８（ａ）、及び図１８（ｂ）とは異なる位置に印刷されることになる。
【００８２】
つまり、複数の第１の要素（３Ｎ）と、複数の第１の要素（３Ｎ）上に印刷される複数の第２ａの要素（４ａ）及び第２ｂの要素（４ｂ）の位置関係は、ある一定の周期をもって第４の方向（Ｙ１）に変化する。このことによって、連続階調は第１の方向（Ｘ１）及び第４の方向（Ｙ１）の両方向に発生することになる。
【００８３】
次に、印刷物（Ｓ１）を、観察角度を変化させて視認した際の色彩可変模様（２ａ）の視認原理について説明する。
【００８４】
（第１の観察角度（Ｅ１）から視認）
図１９（ａ）は、印刷物（Ｓ１）を、第１の観察角度（Ｅ１）から視認した際の領域（Ｚ１）を示す模式図である。印刷物（Ｓ１）を、第１の観察角度（Ｅ１）から視認した際には、第２の要素群（９ａ）が視認される。よって、色彩可変模様（２ａ）が、第１の色と第２の色が混色した色で視認される。
【００８５】
（第２の観察角度（Ｅ２）及び第３の観察角度（Ｅ３）から視認）
図１９（ｂ）は、印刷物（Ｓ１）を、第２の観察角度（Ｅ２）から視認した際の領域（Ｚ１）を示す模式図であり、図１９（ｃ）は、印刷物（Ｓ１）を、第３の観察角度（Ｅ３）から視認した際の領域（Ｚ１）を示す模式図である。印刷物（Ｓ１）を、第２の観察角度（Ｅ２）及び第３の観察角度（Ｅ３）から視認した際には、前述のとおり、それぞれの死角（Ｇ１、Ｇ２）に位置する第２の要素群（９ａ）は、視認不可能となり、その死角（Ｇ１、Ｇ２）に位置する第２の要素群（９ａ）は、第２の方向（Ｘ２）に徐々にずれていく。それにより、色彩可変模様（２ａ）は第１の方向（Ｘ１）と直交する第４の方向（Ｙ１）に連続階調を有する模様として視認される。
【００８６】
なお、第１変形例においても、印刷物（Ｓ１）に対する観察角度を、第２の観察角度（Ｅ２）又は第３の観察角度（Ｅ３）から、第１の観察角度（Ｅ１）へと徐々に変化させることにより、その観察角度の変化に伴い、色彩可変模様（２ａ）における連続階調の色彩が変化して視認される。
【００８７】
（第２変形例）
先に説明した実施例及び第１変形例において、第２ａの要素（４ａ）及び第２ｂの要素（４ｂ）は、いずれも単色の色材で形成されていた。第２変形例では、２色の色材で形成された第２ａの要素（４ａ）及び第２ｂの要素（４ｂ）を用いて色彩可変模様（２ｂ）を形成する。なお、基材（１）及び第１の要素群（３）ついては、前述した（印刷物Ｓ、Ｓ１）と同様であることから説明を省略し、第２変形例については、異なる個所について以下説明する。
【００８８】
図２０（ａ）は、第２変形例における印刷物（Ｓ２）の要部である領域（Ｚ２）を拡大した模式図である。色彩可変模様（２ｂ）は、第１の区分領域（１３ａ）及び第２の区分領域（１３ｂ）から成る。図２０（ｂ）は、第２変形例における要素セット（１０ａ）を示す拡大図である。図２０（ｂ）に示すように、要素セット（１０ａ）において、第２ａの要素（４ａ）及び第２ｂの要素（４ｂ）は、いずれも２色の色材から成る。
【００８９】
図２０（ｂ）に示すように、第２ａの要素（４ａ）は、第１の色材から成る第１ａの区分要素（４ａ１）と、第２の色材から成る第２ａの区分要素（４ａ２）から成る。また、第２ｂの要素（４ｂ）は、第２の色材から成る第１ｂの区分要素（４ｂ１）と、第１の色材から成る第２ｂの区分要素（４ｂ２）から成る。
【００９０】
なお、一つの要素内における区分要素を、異なる版面を用いて第１の要素群（３）上に形成した場合、例えば、一つの第２ａの要素（４ａ）において、第１ａの区分要素（４ａ１）と第２ａの区分要素（４ａ２）を異なる版面を用いて形成した場合、各版面同士の刷り合わせにより、一つの要素内の各区分要素が、多少離れる又は重なる場合がある。それらの場合においても本発明の範囲に含まれることとし、以下説明を省略する。
【００９１】
色彩可変模様（２ｂ）における第１の区分領域（１３ａ）は、複数の第２ａの区分要素（４ａ２）と複数の第２ｂの区分要素（４ｂ２）を有する。また、第２の区分領域（１３ｂ）は、複数の第１ａの区分要素（４ａ１）と複数の第１ｂの区分要素（４ｂ１）を有する。第２ａの要素（４ａ）及び第２ｂの要素（４ｂ）を２色の色材で形成した場合、印刷物（Ｓ２）を各観察角度（Ｅ１、Ｅ２、Ｅ３）から観察すると、各区分要素を形成した色材の色が第１の区分領域（１３ａ）及び第２の区分領域（１３ｂ）で混色して視認される。よって、色彩可変模様（２ｂ）において、第１の区分領域（１３ａ）と第２の区分領域（１３ｂ）とでそれぞれ異なる色調の連続階調が視認される。
【００９２】
また、２色の色材で形成した場合、第２ａの要素（４ａ）及び第２ｂの要素（４ｂ）における異なる色の色材で形成された各区分要素同士を、対応して配置しないことも可能であるが、図２０（ｂ）に示すように第２ａの要素（４ａ）及び第２ｂの要素（４ｂ）における異なる色の色材で形成された各区分要素同士を、対応して配置することも可能である。
【００９３】
本発明における対応して配置とは、図２０（ｂ）に示すように、一つの要素セット（１０ａ）の一方の要素である第２ａの要素（４ａ）における第１の色材から成る第１ａの区分要素（４ａ１）と、他方の要素である第２ｂの要素（４ｂ）における第２の色材から成る第１ｂの区分要素（４ｂ１）が隣り合い配置されることを言う。
【００９４】
第２ａの要素（４ａ）及び第２ｂの要素（４ｂ）を、いずれも第１の色材及び第２の色材から形成し、かつ、対応して配置することで、前述した第１の観察角度（Ｅ１）から視認した際に、第１の区分領域（１３ａ）及び第２の区分領域（１３ｂ）が同色のベタ領域として視認されるが、第２の観察角度（Ｅ２）及び第３の観察角度（Ｅ３）から視認した際には、第１の区分領域（１３ａ）及び第２の区分領域（１３ｂ）が異なる色彩の連続階調を有する領域として視認される。よって、前述した実施形態と同様の２色のインキで印刷しているが、第２変形例の画線構成とすることで、二種類の光学的変化インキで印刷した印刷物と同様の視認効果が生まれる。
【００９５】
なお、図２０において、第２ａの要素（４ａ）及び第２ｂの要素（４ｂ）は、三つの区分要素からそれぞれ構成されているが、三つに限らず、二つ以上であれば特にその区分要素の数は限定されない。各区分要素の数により、それにともない色彩可変模様（２ｂ）における区分領域の数が増えることは言うまでもない。
【００９６】
また、図２０において第１の区分領域（１３ａ）及び第２の区分領域（１３ｂ）の形状は、いずれも長方形であるが、これに限らず文字、絵柄等任意の形状とすることが可能である。第１の区分領域（１３ａ）及び第２の区分領域（１３ｂ）を任意の形状とした場合には、その任意の形状に対応して各区分要素の長さを適宜設定する。
【００９７】
さらには、第２ａの要素（４ａ）及び第２ｂの要素（４ｂ）をいずれも２色で形成しているが、一方を２色で形成し、他方を単色で形成することも可能である。さらに、第２変形例の場合でも、第１変形例のように、第１の要素群（３）と第２の要素群（９）を、異なる方向に配置することも可能である。
【００９８】
（第２変形例における色彩可変模様の視認原理）
次に、印刷物（Ｓ２）を、観察角度を変化させて視認した際の色彩可変模様（２ｂ）の視認原理について説明する。
【００９９】
（第１の観察角度（Ｅ１）から視認）
図２１（ａ）は、印刷物（Ｓ２）を第１の観察角度（Ｅ１）から視認した際の領域（Ｚ２）を示す模式図である。印刷物（Ｓ２）を、第１の観察角度（Ｅ１）から視認した際には、第２の要素群（９）が視認される。すべて同じ位置及び同じ長さにより対応して配置した、第１ａの区分要素（４ａ１）及び第１ｂの区分要素（４ｂ１）と、第２ａの区分要素（４ａ２）及び第２ｂの区分要素（４ｂ２）は、いずれも第１の色材と第２の色材が混色した色として視認される。よって、前述のとおり色彩可変模様（２ｂ）が、第１の色と第２の色が混色した色で視認される。
【０１００】
（第２の観察角度（Ｅ２）及び第３の観察角度（Ｅ３）から視認）
図２１（ｂ）は、印刷物（Ｓ２）を第２の観察角度（Ｅ２）から視認した際の領域（Ｚ２）を示す模式図であり、図２１（ｃ）は、印刷物（Ｓ２）を、第３の観察角度（Ｅ３）から視認した際の領域（Ｚ２）を示す模式図である。印刷物（Ｓ２）を、第２の観察角度（Ｅ２）及び第３の観察角度（Ｅ３）から視認した際には、前述のとおり、それぞれの死角（Ｇ１、Ｇ２）に位置する第２の要素群（９）は視認不可能となり、その死角（Ｇ１、Ｇ２）に位置する複数の各区分要素（４ａ１、４ａ２、４ｂ１、４ｂ２）は、第２の方向（Ｘ２）に徐々にずれていく。それにより、色彩可変模様（２ｂ）の第１の区分領域（１３ａ）及び第２の区分領域（１３ｂ）は、それぞれが第２の方向（Ｘ２）に連続階調を有する模様として視認され、さらに第１の区分領域（１３ａ）及び第２の区分領域（１３ｂ）の色彩は互いに異なって視認される。
【０１０１】
（第３変形例）
図２２は、第３変形例の印刷物（Ｓ３）の要部である領域（Ｚ３）を示す模式図である。なお、前述した実施形態及び変形例と重複する箇所については、説明を一部省略する。図２２（ａ）は、領域（Ｚ３）を示す模式図である。
【０１０２】
第３変形例においては、色彩可変模様（２ｃ）内に、情報部（１４）を形成する。情報部（１４）を有する色彩可変模様（２ｃ）を、図２２（ｂ）に示すように第１の観察角度（Ｅ１）及び図２２（ｃ）に示す第２の観察角度（Ｅ２）から視認した場合には、色彩可変模様（２ｃ）内において、情報部（１４）と他の領域（１５）で異なる色彩の連続階調が視認される。なお、基材（１）、第１の要素群（３）及び第２の要素群（９）については、前述した実施形態と同様であることから、以下説明を省略する。
【０１０３】
図２３は、印刷物（Ｓ３）の要部である領域（Ｚ３）を拡大した模式図である。第３変形例では、図２３の拡大図に示すように、第１の要素群（３）上に配置した第２の要素群（９）上に、複数の第３の要素（１１）から成る第３の要素群（１２）を有する。
【０１０４】
図２３（ｂ）は、図２３（ａ）におけるＡ−Ａ’を切断した断面図である。なお、図２３（ｂ）においては、第２の要素（４）上に配置した第３の要素（１１）が浮いた状態で図示されている箇所もあるが、重畳状態を示すために模式的に示したものであり、実際には重畳して配置される。
【０１０５】
（第３の要素群）
図２４は、第３の要素群（１２）を説明する模式図である。第１の色材の色及び第２の色材の色を隠蔽する第３の色材から成る第３の要素（１１）が、第２のピッチ（Ｐ２）の２倍のピッチとは異なる第３のピッチ（Ｐ３）で、第３の方向（Ｘ３）に複数配置されることで、第３の要素群（１２）と成る。第３の方向（Ｘ３）は、第１の方向（Ｘ１）及び第２の方向（Ｘ２）と、同じ又は異なる方向とする。
【０１０６】
なお、第３の方向（Ｘ３）と他の方向（Ｘ１、Ｘ２）との関係は、前述した第１の方向（Ｘ１）と第２の方向（Ｘ２）と同様に、他の方向（Ｘ１、Ｘ２）を基準（０度）とした場合、他の方向（Ｘ１、Ｘ２）と第３の方向（Ｘ３）の成す角度が０度を超え３度未満であることを言う。第３の方向（Ｘ３）と他の方向（Ｘ１、Ｘ２）の成す角度は、色彩可変模様（２ｃ）を構成する第２の要素群（９）上に配置する第３の要素（１１）の本数、第２の要素群（９）内に占める第３の要素群（１２）の面積占有率、第１の要素（３Ｎ）及び第２ａの要素（４ａ）及び第２ｂの要素（４ｂ）のピッチ、画線幅等により適宜設定することとする。
【０１０７】
第２の要素群（９）上に、第３の要素（１１）を、第２のピッチ（Ｐ２）の２倍のピッチとは異なる第３のピッチ（Ｐ３）で複数配置することで、複数の第３の要素（１１）に、第２ａの要素（４ａ）及び第２ｂの要素（４ｂ）がランダムに隠蔽される。それにより、各観察角度（Ｅ１、Ｅ２、Ｅ３）から観察した際に、色彩可変模様（２ｃ）内において第３の要素群（１２）を有する領域が他の領域とは異なる色彩の連続階調で視認される。
【０１０８】
第３の要素（１１）の画線幅（Ｗ３）は、第２ａの要素（４ａ）及び第２ｂの要素（４ｂ）の画線幅（Ｗ２ａ、Ｗ２ｂ）と同等かそれより若干細いことが好ましい。細すぎると第２ａの要素（４ａ）及び第２ｂの要素（４ｂ）を隠蔽する効果が劣るため、異なる色彩の連続階調で視認することが難しくなる。また、第２ａの要素（４ａ）及び第２ｂの要素（４ｂ）の画線幅（Ｗ２ａ、Ｗ２ｂ）より太いと第２ａの要素（４ａ）及び第２ｂの要素（４ｂ）の両方を隠蔽することになり、連続階調を視認することが難しくなる。
【０１０９】
また、第３の要素群（１２）は、第２の要素群（９）を部分的に隠蔽する必要があるため、第２の要素群（９）を形成する第１の色材及び第２の色材を隠蔽する第３の色材で形成する。第３の色材が、白色、黄色、黄緑等の淡い色や、透明、半透明等の透過性の高い色である場合、第２の要素群（９）を隠蔽することは難しい。よって、第３の色材は、黒色が最も好ましい。しかしながら、第３の要素（１１）の画線幅（Ｗ３）が第２ａの要素（４ａ）及び第２ｂの要素（４ｂ）のそれぞれの画線幅（Ｗ２ａ、Ｗ２ｂ）より太い場合には、第２の要素群（９）の色彩より主体的に視認されてしまうため、色彩可変模様（２ｃ）は全体に暗い連続階調となる。よって、第２ａの要素（４ａ）及び第２ｂの要素（４ｂ）の画線幅（Ｗ２ａ、Ｗ２ｂ）及び色材に合わせて、第３の色材は適宜設定する。
【０１１０】
（第３変形例における第３の要素群の視認原理）
次に、第３の要素群（１２）の視認原理について説明する。図２５は、第３変形例における印刷物（Ｓ３）を第１の観察角度（Ｅ１）から視認した際の模式図であり、図２６は、第３変形例における印刷物（Ｓ３）を第２の観察角度（Ｅ２）から視認した際の模式図であり、図２７は、第３変形例における印刷物（Ｓ３）を第３の観察角度（Ｅ３）から視認した際の模式図である。
【０１１１】
図２５（ａ）及び図２５（ｂ）に示すように、印刷物（Ｓ３）を第１の観察角度（Ｅ１）から視認した場合、第１の要素群（３）上に印刷された第２の要素群（９）上に第３の要素群（１２）が視認される。
【０１１２】
第３変形例においては、前述した実施形態とは異なり、第２の要素群（９）上に、第３の要素（１１）を、第２のピッチ（Ｐ２）の２倍のピッチとは異なる第３のピッチ（Ｐ３）で複数有していることから、複数の第２ａの要素（４ａ）及び第２ｂの要素（４ｂ）と、複数の第３の要素（１１）において位相のずれが生じる。よって、第２の要素群（９）は、位相のずれを生じながら、ランダムに複数の第３の要素（１１）に隠蔽される。
【０１１３】
第３の要素群（１２）に隠蔽された箇所は、前述した第２の観察角度（Ｅ２）又は第３の観察角度（Ｅ３）から視認した際に生じる死角（Ｇ１、Ｇ２）と同様な効果を生じる。つまり、第２の要素群（９）において、第３の要素群（１２）に隠蔽された箇所（視認不可能となる箇所）は、第１の方向（Ｘ１）に徐々にずれていく。よって、第１の観察角度（Ｅ１）において色彩可変模様（２ｃ）内の第３の要素群（１２）を有する領域は、第３の要素群（１２）を有さない領域とは異なる色彩の連続階調を有する模様として視認される。
【０１１４】
また、図２６（ａ）及び図２６（ｂ）に示すように、印刷物（Ｓ３）を第２の観察角度（Ｅ２）から視認した場合、前述した複数の第２ａの要素（４ａ）及び第２ｂの要素（４ｂ）と、複数の第３の要素（１１）間の位相のずれに加え、前述のとおり第１の死角（Ｇ１）により視認不可能となる複数の第２ａの要素（４ａ）及び第２ｂの要素（４ｂ）は、第１の方向（Ｘ１）に徐々にずれていく。さらには、図２７（ａ）及び図２７（ｂ）に示すように、印刷物（Ｓ３）を第３の観察角度（Ｅ３）から視認した場合、前述した複数の第２ａの要素（４ａ）及び第２ｂの要素（４ｂ）と、複数の第３の要素（１１）間の位相のずれに加え、前述のとおり第２の死角（Ｇ２）により視認不可能となる複数の第２ａの要素（４ａ）及び第２ｂの要素（４ｂ）は、第１の方向（Ｘ１）に徐々にずれていく。よって、第２の観察角度（Ｅ２）及び第３の観察角度（Ｅ３）において、色彩可変模様（２ｃ）内の第３の要素群（１２）を有する領域は、第３の要素群（１２）を有さない領域とは異なる色彩の連続階調を有する模様として視認され、さらにその連続階調は第１の観察角度（Ｅ１）において視認された連続階調とは異なる。
【０１１５】
（第３変形例における色彩可変模様の視認原理）
次に、印刷物（Ｓ３）を、観察角度を変化させて視認した際の色彩可変模様（２ｃ）の視認原理について説明する。
【０１１６】
（第１の観察角度（Ｅ１）から視認）
図２８（ａ）は、印刷物（Ｓ３）を、第１の観察角度（Ｅ１）から視認した際の領域（Ｚ３）を示す模式図である。印刷物（Ｓ１）を、第１の観察角度（Ｅ１）から視認した際には、第３の要素群（１２）に隠蔽される第２の要素群（９）が第１の方向（Ｘ１）にずれていく。よって、色彩可変模様（２ｃ）内において、第３の要素群（１２）を有する領域が、他の領域とは異なる連続階調で視認される。
【０１１７】
（第２の観察角度（Ｅ２）及び第３の観察角度（Ｅ３）から視認）
図２８（ｂ）は、印刷物（Ｓ３）を、第２の観察角度（Ｅ２）から視認した際の模式図であり、図２８（ｃ）は、印刷物（Ｓ３）を、第３の観察角度（Ｅ３）から視認した際の模式図である。印刷物（Ｓ３）を、第２の観察角度（Ｅ２）及び第３の観察角度（Ｅ３）から視認した際には、前述のとおりそれぞれの死角（Ｇ１、Ｇ２）に位置する第２の要素群（９）及び第３の要素群（１２）は視認不可能となり、その死角に位置する第２の要素群（９）は、第１の方向（Ｘ１）とは異なる第２の方向（Ｘ２）に徐々にずれていく。さらに、色彩可変模様（２ｃ）内において、第３の要素群（１２）は第２の要素群（９）をランダムに隠蔽する。よって、色彩可変模様（２ｃ）内において、第３の要素群（１２）を有する領域と他の領域は、それぞれが第１の方向（Ｘ１）に異なる色彩の連続階調で視認される。
【０１１８】
図２９は、第３の要素（１１）の他の形態を示す模式図である。図２９（ａ）に示すように、第３の要素（１１）を配置する第３の方向（Ｘ３）は、第２の方向（Ｘ２）と異なる方向とすることが可能である。異なる方向とした場合には、前述した第１変形例の第２ａの要素（４ａ）及び第２ｂの要素（４ｂ）と同様に情報部（１４）における連続階調は、第１の方向（Ｘ１）及び第４の方向（Ｙ１）の二方向に生じる。また、図２８においては情報部（１４）により有意味情報である文字「Ｈ」をポジ画像として示していたが、図２９（ｂ）に示すように、有意味情報をネガ画像として示すことも可能である。さらには、図２９（ｃ）に示すように、前述した第２の要素群（９）と同様に、情報部（１４）に郭郭を有する構成としても良い。
【０１１９】
前述した各形態において第２ａの要素（４ａ）及び第２ｂの要素（４ｂ）は、領域（Ｚ）内における連続する第１の要素（３Ｎ）上に印刷しているが、領域（Ｚ）内におけるすべての第１の要素（３Ｎ）上に、必ず第２ａの要素（４ａ）及び／又は第２ｂの要素（４ｂ）があることではない。なお、連続してすべての第１の要素（３Ｎ）に印刷することが本発明の本質ではないので、ここでは説明を省略する。
【０１２０】
また、第２ａの要素（４ａ）、第２ｂの要素（４ｂ）及び第３の要素（１１）を形成する色材においては、機能性材料を含有することも可能である。機能性材料は特に限定するものではなく、赤外線吸収剤、紫外線励起可視発光剤、示温インキに用いられるコレステリック液晶等の公知の機能性材料を使用することができる。
【０１２１】
以下、実施例を用いて本発明を更に具体的に説明するが、本発明を限定するものではない。
【０１２２】
（実施例１）
実施例１として図１（ａ）に示した色彩可変模様（２）を作製した。色彩可変模様（２）は、基材（１）として上質紙（日本製紙製  ＮＰＩ上質紙  ８１．４ｇ／ｍ２）を用いた。基材（１）上に、スクリーン印刷機（ＲＡＮＡＳ製  ＭＦ―２５０）を用いて、スクリーン印刷用ＵＶ硬化型インキにより、第１の要素（３Ｎ）を第１の方向（Ｘ１）に複数配置することで第１の要素群（３）を形成した。図３（ｂ）に示した第１の要素（３Ｎ）の画線幅（Ｗ１）は２５０μｍであり、第１のピッチ（Ｐ１）はいずれも５００μｍの一定ピッチとした。
【０１２３】
図５に示した第２ａの要素（４ａ）及び第２ｂの要素（４ｂ）を第２の方向（Ｘ２）に複数配置して第２の要素群（９）を印刷した。なお、第１の方向（Ｘ１）及び第２の方向（Ｘ２）は同じ方向とした。第２ａの要素（４ａ）及び第２ｂの要素（４ｂ）の画線幅（Ｗ２ａ、Ｗ２ｂ）は、それぞれ１２０μｍとした。第２の要素（４）は、第２のピッチ（Ｐ２）を２５７．５μｍの一定ピッチとして形成した。また、第２ａの要素（４ａ）及び第２ｂの要素（４ｂ）のピッチ（Ｐ２Ｎ）はいずれも５１５μｍの一定ピッチとして形成した。第２ａの要素（４ａ）は、オフセットインキ（Ｔ＆Ｋ  ＴＯＫＡ製  ベストキュア  藍）を用いて印刷し、第２ｂの要素（４ｂ）は、オフセットインキ（Ｔ＆Ｋ  ＴＯＫＡ製  ベストキュア  紅）を用いて印刷した。なお、第２ａの要素（４ａ）及び第２ｂの要素（４ｂ）は、それぞれオフセット印刷機（下垣鉄工所製  ＥＰ―６０）により基材（１）上に形成した。  
【０１２４】
実施例１にて作製した色彩可変模様（２）を、第１の観察角度（Ｅ１）から肉眼で観察したところ、シアン色とマゼンタ色が混色した一様な色として視認できた。次に、色彩可変模様（２）を、第２の観察角度（Ｅ２）から観察したところ、シアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となることが視認できた。
【０１２５】
次に、色彩可変模様（２）を、第３の観察角度（Ｅ３）から観察したところ、シアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となることが視認できた。さらに、色彩可変模様（２）を第２の観察角度（Ｅ２）から第３の観察角度（Ｅ３）に順次傾けて観察すると、混色領域が緩やかに変化する連続階調を視認することができた。
【０１２６】
（実施例２）
実施例２として図１３に示した色彩可変模様（２ａ）を作製した。色彩可変模様（２ａ）は、基材（１）として上質紙（日本製紙製  ＮＰＩ上質紙  ８１．４ｇ／ｍ２）を用いた。基材（１）上に、スクリーン印刷機（ＲＡＮＡＳ製  ＭＦ―２５０）を用いて、スクリーン印刷用ＵＶ硬化型インキにより、第１の要素（３Ｎ）を第１の方向（Ｘ１）に複数配置することで第１の要素群（３）を形成した。第１の要素（３Ｎ）の画線幅（Ｗ１）は、２５０μｍであり、第１のピッチ（Ｐ１）はいずれも５００μｍとした。
【０１２７】
図１４に示した第２ａの要素（４ａ）及び第２ｂの要素（４ｂ）を第２の方向（Ｘ２）に複数配置して第２の要素群（９ａ）を印刷した。第２ａの要素（４ａ）及び第２ｂの要素（４ｂ）の画線幅（Ｗ２ａ、Ｗ２ｂ）は、それぞれ１２０μｍとした。第２の要素（４）は、第２のピッチ（Ｐ２）を２５７．５μｍの一定ピッチとして形成した。また、第２ａの要素（４ａ）及び第２ｂの要素（４ｂ）のピッチ（Ｐ２Ｎ）は、いずれも５１５μｍの一定ピッチとして形成した。第１の方向（Ｘ１）と第２の方向（Ｘ２）の成す角度を１度として印刷した。また、第２ａの要素（４ａ）は、オフセットインキ（Ｔ＆Ｋ  ＴＯＫＡ製  ベストキュア  藍）を用いて印刷し、第２ｂの要素（４ｂ）は、オフセットインキ（Ｔ＆Ｋ  ＴＯＫＡ製  ベストキュア  紅）を用いて印刷した。なお、第２ａの要素（４ａ）及び第２ｂの要素（４ｂ）は、それぞれオフセット印刷機（下垣鉄工所製  ＥＰ―６０）により基材（１）上に形成した。
【０１２８】
実施例２にて作製した色彩可変模様（２ａ）を、第１の観察角度（Ｅ１）から肉眼で観察したところ、シアン色とマゼンタ色が混色した一様な色として視認できた。次に、色彩可変模様（２）を、第２の観察角度（Ｅ２）から観察したところ、第１の方向（Ｘ１）ではシアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となることが視認できた。さらに、第１の方向（Ｘ１）に生じた緩やかな連続階調は、第１の方向（Ｘ１）とは異なる第４の方向（Ｙ１）にも緩やかな連続階調を視認することができた。
【０１２９】
次に、色彩可変模様（２ａ）を、第３の観察角度（Ｅ３）から観察したところ、シアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となることが視認できた。さらに、第１の方向（Ｘ１）に生じた緩やかな連続階調は、第１の方向（Ｅ１）とは異なる第４の方向（Ｙ１）にも緩やかな連続階調を視認することができた。さらに、色彩可変模様（２ａ）を第２の観察角度（Ｅ２）から第３の観察角度（Ｅ３）に順次傾けて観察すると、混色領域が第１の方向（Ｘ１）と第４の方向（Ｙ１）の二方向に緩やかに変化する連続階調を視認することができた。
【０１３０】
（実施例３）
実施例３として図２２（ａ）に示した色彩可変模様（２ｃ）を作製した。色彩可変模様（２ｃ）は、基材（１）として上質紙（日本製紙製  ＮＰＩ上質紙  ８１．４ｇ／ｍ２）を用いた。基材（１）上に、スクリーン印刷機（ＲＡＮＡＳ製  ＭＦ―２５０）を用いて、スクリーン印刷用ＵＶ硬化型インキにより、第１の要素（３Ｎ）を第１の方向（Ｘ１）に複数配置することで第１の模様（３）を形成した。第１の要素（３Ｎ）の画線幅（Ｗ１）は、２５０μｍであり、ピッチ（Ｐ１）はいずれも５００μｍとした。
【０１３１】
図５に示した第２ａの要素（４ａ）及び第２ｂの要素（４ｂ）を第２の方向（Ｘ２）に複数配置して第２の要素群（９）を印刷した。第２ａの要素（４ａ）及び第２ｂの要素（４ｂ）の画線幅（Ｗ２ａ、Ｗ２ｂ）は、それぞれ８０μｍとした。また、第２の要素（４）は、第２のピッチ（Ｐ２）を２５７．５μｍの一定ピッチとして形成した。第２ａの要素（４ａ）及び第２ｂの要素（４ｂ）のピッチ（Ｐ２Ｎ）はいずれも５１５μｍの一定ピッチとして形成した。また、第２ａの要素（４ａ）は、オフセットインキ（Ｔ＆Ｋ  ＴＯＫＡ製  ベストキュア  藍）を用いて印刷し、第２ｂの要素（４ｂ）は、オフセットインキ（Ｔ＆Ｋ  ＴＯＫＡ製  ベストキュア  紅）を用いて印刷した。
【０１３２】
また、第３の要素（１１）を第３の方向（Ｘ３）に複数配置して第３の要素群（１２）を印刷した。なお、第１の方向（Ｘ１）、第２の方向（Ｘ２）及び第３の方向（Ｘ３）は同じ方向とした。第３の要素（１１）の画線幅（Ｗ３）は８０μｍとし、オフセットインキ（Ｔ＆Ｋ  ＴＯＫＡ製  ベストキュア  黒）を用いて印刷した。なお、第２ａの要素（４ａ）、第２ｂの要素（４ｂ）及び第３の要素（１１）は、それぞれオフセット印刷機（下垣鉄工所製  ＥＰ―６０）により基材（１）上に形成した。  
【０１３３】
実施例３にて作製した色彩可変模様（２ｃ）を、第１の観察角度（Ｅ１）から肉眼で観察したところ、シアン色とマゼンタ色が混色した一様な色として視認でき、情報部（１４）は、複数の第２ａの要素（４ａ）及び第２ｂの要素（４ｂ）を第３の要素（１４）が部分的に隠蔽することで、シアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となることが視認できた。なお、第３の要素（１１）は、画線幅（Ｗ３）８０μｍの黒色インキで印刷したため、肉眼ではほとんど視認することはできない。
【０１３４】
次に、色彩可変模様（２ｃ）を、第２の観察角度（Ｅ２）から観察したところ、シアン色で視認でき、情報部（１４）はシアン色領域とシアン色と黒色の混色した混色領域が視認でき、混色領域はシアン色領域に近づくに従い黒色が減色した。次に、色彩可変模様（２ｃ）を、第３の観察角度（Ｅ３）から観察したところ、マゼンタ色で視認でき、情報部（１４）はマゼンタ色領域とマゼンタ色と黒色の混色した混色領域が視認でき、混色領域はマゼンタ色領域に近づくに従い黒色が減色した。さらに、色彩可変模様（２ｃ）を第２の観察角度（Ｅ２）から第３の観察角度（Ｅ３）に順次傾けて観察すると、混色領域が緩やかに変化する連続階調色を視認することができた。
【０１３５】
以上、本発明に係る実施例に基づいて実施の形態を説明したが、上記実施例に限定されることなく特許請求の範囲記載の技術思想の範囲内で、更にいろいろな実施例があることは言うまでもない。
【符号の説明】
【０１３６】
１          基材
２、２ａ、２ｂ、２ｃ          色彩可変模様
３          第１の要素群
３ａ、３ｂ、３ｃ、３Ｎ          第１の要素
４          第２の要素
４ａ          第２ａの要素
４ｂ          第２ｂの要素
４ａ１          第１ａの区分要素
４ａ２          第２ａの区分要素
４ｂ１          第１ｂの区分要素
４ｂ２          第２ｂの区分要素
５          第１の側部
６          第２の側部
７          頂上部
８          底部
９、９ａ          第２の要素群
１０、１０ａ          要素セット
１１          第３の要素
１２          第３の要素群
１３ａ          第１の区分領域
１３ｂ          第２の区分領域
１４          情報部
Ｅ１          第１の観察角度
Ｅ２          第２の観察角度
Ｅ３          第３の観察角度
ｈ          高さ
Ｐ１          第１のピッチ
Ｐ２          第２のピッチ
Ｐ２ａ          第２ａのピッチ
Ｐ２ｂ          第２ｂのピッチ
Ｓ、Ｓ１、Ｓ２、Ｓ３          印刷物
Ｗ１、Ｗ２、Ｗ２ａ、Ｗ２ｂ          画線幅
Ｘ１          第１の方向
Ｘ２          第２の方向
Ｘ３          第３の方向
Ｙ１          第４の方向
Ｚ          領域
【図１】
2013123850.tif 000003
【図２】
2013123850.tif 000004
【図３】
2013123850.tif 000005
【図４】
2013123850.tif 000006
【図５】
2013123850.tif 000007
【図６】
2013123850.tif 000008
【図７】
2013123850.tif 000009
【図８】
2013123850.tif 000010
【図９】
2013123850.tif 000011
【図１０】
2013123850.tif 000012
【図１１】
2013123850.tif 000013
【図１２】
2013123850.tif 000014
【図１３】
2013123850.tif 000015
【図１４】
2013123850.tif 000016
【図１５】
2013123850.tif 000017
【図１６】
2013123850.tif 000018
【図１７】
2013123850.tif 000019
【図１８】
2013123850.tif 000020
【図１９】
2013123850.tif 000021
【図２０】
2013123850.tif 000022
【図２１】
2013123850.tif 000023
【図２２】
2013123850.tif 000024
【図２３】
2013123850.tif 000025
【図２４】
2013123850.tif 000026
【図２５】
2013123850.tif 000027
【図２６】
2013123850.tif 000028
【図２７】
2013123850.tif 000029
【図２８】
2013123850.tif 000030
【図２９】
2013123850.tif 000031